(57)【要約】【課題】  折り畳み式携帯端末機において、操作キーの接触によるディスプレイの損傷を回避し、然も両キャビネットを閉じたときの耳障りな音の発生を抑制する。【解決手段】  本発明に係る折り畳み式携帯端末機において、表示側キャビネット２の表面には、ヒンジ機構３とは反対側の端部に、１或いは複数の弾性凸部22が突設されると共に、操作側キャビネット１の表面には、弾性凸部22よりも硬度が高く且つキャビネットの材質よりも硬度が低い材質からなる緩衝部材４が配備され、該緩衝部材４は、キャビネット表面からの突出高さが操作キー11のキャビネット表面からの突出高さと同一若しくは該突出高さよりも高く形成されている。【選択図】      図１
2005295070.tif 000002
【特許請求の範囲】
【請求項１】
表面に操作キー(11)が配備された操作側キャビネット(１)と、表面にディスプレイ(21)が配備された表示側キャビネット(２)と、両キャビネット(１)(２)をそれぞれの端部にて互いに連結するヒンジ機構(３)とを具え、両キャビネット(１)(２)の表面どうしを互いに対向させて折り畳むことが可能な折り畳み式携帯端末機において、
操作側キャビネット(１)と表示側キャビネット(２)の何れか一方のキャビネットの表面には、ヒンジ機構(３)とは反対側の端部に、１或いは複数の弾性凸部(22)が突設されると共に、他方のキャビネットの表面には、前記弾性凸部(22)よりも硬度が高く且つキャビネットの材質よりも硬度が低い材質からなる緩衝部材(４)が配備され、該緩衝部材(４)は、キャビネット表面からの突出高さが操作キー(11)のキャビネット表面からの突出高さと同一若しくは該突出高さよりも高く形成されていることを特徴とする折り畳み式携帯端末機。
【請求項２】
前記緩衝部材(４)は、両キャビネット(１)(２)を閉じたときに前記弾性凸部(22)と当接することとなる位置に配備されている請求項１に記載の折り畳み式携帯電話機。
【請求項３】
前記１或いは複数の弾性凸部(22)は表示側キャビネット(２)の表面に突設される一方、前記緩衝部材(４)は操作側キャビネット(１)の表面に露出させて配備されており、該緩衝部材(４)は、キャビネット表面に露出する面が操作キー(11)の表面と同一若しくは該表面よりも高く形成されている請求項２に記載の折り畳み式携帯端末機。
【請求項４】
前記緩衝部材(４)は、操作側キャビネット(１)の操作キー(11)を挟んで両側に配備され、操作側キャビネット(１)の両側部に沿ってヒンジ機構(３)の近傍位置からヒンジ機構(３)とは反対側の端部まで伸びている請求項３に記載の折り畳み式携帯端末機。
【請求項５】
前記緩衝部材(４)は、エラストマーの二色成型によってキャビネットと一体に形成されている請求項１乃至請求項４の何れかに記載の折り畳み式携帯端末機。
【発明の詳細な説明】
【技術分野】
【０００１】
本発明は、折り畳み式携帯電話機の如く、一対のキャビネットを開閉可能に連結してなる折り畳み式携帯端末機に関するものである。
【背景技術】
【０００２】
折り畳み式携帯電話機は、図８に示す如く、表面に複数の操作キー(61)が配備された操作側キャビネット(６)と、表面にディスプレイ(71)が配備された表示側キャビネット(７)と、両キャビネット(６)(７)をそれぞれの端部にて互いに連結するヒンジ機構(８)とを具え、両キャビネット(１)(２)の表面どうしを互いに対向させて折り畳むことが可能となっている(特許文献１参照)。
【０００３】
この様な折り畳み式携帯端末機においては、両キャビネットを閉じたときに、操作側キャビネット(６)の操作キー(61)の表面が表示側キャビネット(７)のディスプレイ(71)の表面に当たると、ディスプレイ(71)が損傷する虞があるため、操作側キャビネット(６)の表面には、ヒンジ機構(８)とは反対側の端部に２つの突起(62)(62)が形成される一方、表示側キャビネット(７)の表面には、両キャビネットを閉じたときに前記突起(62)(62)が当接することとなる位置に、２つの弾性凸部(72)(72)が配備されている。
【０００４】
該折り畳み式携帯電話機においては、両キャビネットを折り畳んだとき、操作側キャビネット(６)の突起(62)と表示側キャビネット(７)の弾性凸部(72)とが互いに当接して、操作キー(61)の表面とディスプレイ(71)の表面との間に僅かな隙間が形成されて、ディスプレイ(71)の損傷が防止される。
又、両キャビネットを勢いよく折り畳むことによって、操作側キャビネット(６)の突起(62)と表示側キャビネット(７)の弾性凸部(72)とが強く衝突したとしても、弾性凸部(72)の緩衝作用によって、硬質のキャビネット面どうしが直接に衝突するときの耳障りな音の発生が防止される。
【特許文献１】特開平８−３１７０２８号公報
【発明の開示】
【発明が解決しようとする課題】
【０００５】
しかしながら、図８に示す従来の折り畳み式携帯電話機においては、両キャビネット(６)(７)を折り畳んだ状態で両キャビネット(６)(７)を互いに強く挟圧すると、弾性凸部(72)が大きく弾性変形して、操作キー(61)の表面がディスプレイ(71)の表面に接触し、ディスプレイ(71)が損傷を受ける虞があった。
又、両キャビネット(６)(７)を折り畳んだ状態で携帯電話機を誤って落下させたとき等、外部から大きな衝撃力が作用したとき、キャビネットが撓むことよって、操作キー(61)の表面がディスプレイ(71)の表面に接触し、ディスプレイ(71)が損傷を受ける虞があった。
【０００６】
弾性凸部(72)を硬度の大きな部材から形成すれば、弾性凸部(72)の弾性変形に起因するディスプレイの損傷はある程度抑制することが出来るが、両キャビネットを閉じたときに耳障りな音が発生する問題が生じる。
【０００７】
そこで本発明の目的は、外力の作用によってもディスプレイの表面に傷が付き難く、然も両キャビネットを閉じたときの耳障りな音の発生を抑制することが出来る折り畳み式携帯端末機を提供することである。
【課題を解決するための手段】
【０００８】
本発明に係る折り畳み式携帯端末機は、表面に操作キー(11)が配備された操作側キャビネット(１)と、表面にディスプレイ(21)が配備された表示側キャビネット(２)と、両キャビネット(１)(２)をそれぞれの端部にて互いに連結するヒンジ機構(３)とを具え、両キャビネット(１)(２)の表面どうしを互いに対向させて折り畳むことが可能である。
【０００９】
操作側キャビネット(１)と表示側キャビネット(２)の何れか一方のキャビネットの表面には、ヒンジ機構(３)とは反対側の端部に、１或いは複数の弾性凸部(22)が突設されると共に、他方のキャビネットの表面には、前記弾性凸部(22)よりも硬度が高く且つキャビネットの材質よりも硬度が低い材質からなる緩衝部材(４)が配備され、該緩衝部材(４)は、キャビネット表面からの突出高さが操作キー(11)のキャビネット表面からの突出高さと同一若しくは該突出高さよりも高く形成されている。
【００１０】
具体的には、前記１或いは複数の弾性凸部(22)は表示側キャビネット(２)の表面に突設される一方、前記緩衝部材(４)は操作側キャビネット(１)の表面に露出させて配備されており、該緩衝部材(４)は、キャビネット表面に露出する面が操作キー(11)の表面と同一若しくは該表面よりも高く形成されている。
【００１１】
上記本発明の折り畳み式携帯端末機においては、両キャビネット(１)(２)を折り畳んだとき、弾性凸部(22)の緩衝作用によって、耳障りな音の発生が防止される。又、両キャビネット(１)(２)を折り畳んだ状態で両キャビネット(１)(２)を互いに強く挟圧して、弾性凸部(22)が大きく弾性変形したとしても、緩衝部材(４)の弾性変形量は僅かであり、該緩衝部材(４)の高さは、操作キー(11)のキャビネット表面からの突出高さと同一若しくは該突出高さよりも高い状態が維持されるので、操作キー(11)の表面とディスプレイ(21)の表面の間には最小限のクリアランスが保たれて、ディスプレイ(21)の損傷が防止される。
【００１２】
具体的構成において、前記緩衝部材(４)は、両キャビネット(１)(２)を閉じたときに前記弾性凸部(22)と当接することとなる位置に配備されている。これによって、弾性凸部(22)の高さを最小限に抑えることが出来る。
【００１３】
又、具体的構成において、前記緩衝部材(４)は、操作側キャビネット(１)の操作キー(11)を挟んで両側に配備され、操作側キャビネット(１)の両側部に沿ってヒンジ機構(３)の近傍位置からヒンジ機構(３)とは反対側の端部まで伸びている。
該具体的構成によれば、両キャビネット(１)(２)を折り畳んだ状態で携帯電話機を誤って落下させたとき等、外部から大きな衝撃力が作用したとしても、操作側キャビネット(１)の表面と表示側キャビネット(２)の表面と間には、キャビネットの長手方向に伸びる緩衝部材(４)が介在して、キャビネットの撓みを阻止するので、操作キー(11)の表面がディスプレイ(21)の表面に接触することはない。
【００１４】
尚、前記緩衝部材(４)は、エラストマーの二色成型によってキャビネットと一体に形成することが出来る。これによって、緩衝部材(４)をキャビネットに固定するための締結機構や接着工程が不要となって、部品点数の削減や組立工数の削減を図ることが出来る。
【発明の効果】
【００１５】
本発明に係る折り畳み式携帯端末機によれば、硬度の異なる弾性凸部と緩衝部材の配備によって、両キャビネットを閉じたときの耳障りな音の発生を抑制すると共に、ディスプレイの損傷を防止することが出来る。
【発明を実施するための最良の形態】
【００１６】
以下、本発明を折り畳み式携帯電話機に実施した形態につき、図面に沿って具体的に説明する。
本発明に係る折り畳み式携帯電話機は、図１及び図２に示す如く、操作側キャビネット(１)と表示側キャビネット(２)をヒンジ機構(３)によって互いに開閉可能に連結して構成される。
【００１７】
図１に示す如く、操作側キャビネット(１)の表面には複数の操作キー(11)が配備される一方、表示側キャビネット(２)の表面にはディスプレイ(21)が配備されており、両キャビネット(１)(２)を閉じることによって、操作側キャビネット(１)の操作キー(11)と表示側キャビネット(２)のディスプレイ(21)とが互いに対向する。
【００１８】
操作側キャビネット(１)には、操作キー(11)の配列面を挟んで両側の側面に沿ってそれぞれ、ヒンジ機構(３)の近傍位置からヒンジ機構(３)とは反対側の端部まで伸びる緩衝部材(４)が配備され、操作側キャビネット(１)の表面にその一部が露出している。
尚、緩衝部材(４)は、ポリカＡＢＳのアロイからなるエラストマーの二色成型(複合成型)によって、操作側キャビネット(１)と一体に形成したものである。
【００１９】
一方、表示側キャビネット(２)の表面には、ヒンジ機構(３)とは反対側の端部に、ゴム製の２つの弾性凸部(22)(22)が配備されており、両キャビネット(１)(２)を閉じることによって、これら２つの弾性凸部(22)(22)は、操作側キャビネット(１)の緩衝部材(４)(４)のヒンジ機構(３)とは反対側の端部(4a)(4a)に当接することになる。
【００２０】
又、表示側キャビネット(２)には、図２に示す如く、ヒンジ機構(３)とは反対側の端部からヒンジ機構(３)側の左右両端部までＵ字状に伸びる緩衝部材(５)が配備されている。
尚、緩衝部材(５)は、同じくポリカＡＢＳのアロイからなるエラストマーの二色成型(複合成型)によって、表示側キャビネット(２)と一体に形成したものである。
【００２１】
図３に示す如く操作側キャビネット(１)と表示側キャビネット(２)を閉じることによって、図４の如く表示側キャビネット(２)の弾性凸部(22)が操作側キャビネット(１)の緩衝部材(４)の端部(4a)に当接して、両キャビネット(１)(２)の対向面間には、所定のクリアランスＣ(約０.５ｍｍ〜０.６ｍｍ)が形成されることになる。
【００２２】
操作側キャビネット(１)と表示側キャビネット(２)を折り畳んだ状態で図５に示すＡ−Ａ線に沿う断面とＢ−Ｂ線に沿う断面を、それぞれ図６及び図７に示す。
折り畳み状態においては、図７(ａ)(ｂ)に示す様に、表示側キャビネット(２)の弾性凸部(22)は操作側キャビネット(１)の緩衝部材(４)の端部(4a)に圧接されて、僅かに弾性変形することになるが、図６(ａ)(ｂ)の如く、操作側キャビネット(１)の表面に露出する緩衝部材(４)の表面は、表示側キャビネット(２)の表面と所定のクリアランスＣ′(約０.３ｍｍ〜０.４ｍｍ)をおいて対向することになる。
尚、操作側キャビネット(１)の操作キー(11)の表面は、操作側キャビネット(１)の表面から約０.１ｍｍ〜０.２ｍｍの突出高さを有している。
【００２３】
従って、操作側キャビネット(１)と表示側キャビネット(２)を閉じた状態で、操作側キャビネット(１)の操作キー(11)の表面と表示側キャビネット(２)のディスプレイ(21)の表面との間には、図６(ｂ)の如く所定の隙間Ｇ(約０.４ｍｍ)が形成されることになる。
【００２４】
上記本発明の折り畳み式携帯電話機によれば、操作側キャビネット(１)と表示側キャビネット(２)を勢いよく閉じて、表示側キャビネット(２)の弾性凸部(22)が操作側キャビネット(１)の緩衝部材(４)の表面に衝突したとしても、弾性凸部(22)は緩衝部材(４)よりも硬度の低い柔軟な材質によって形成されているので、硬質のキャビネットどうしが直接に衝突するときの耳障りな音は発生しない。
【００２５】
又、操作側キャビネット(１)と表示側キャビネット(２)を閉じた状態で、両キャビネット(１)(２)に強い挟圧力が作用した場合、表示側キャビネット(２)の弾性凸部(22)が大きく弾性変形することになるが、操作側キャビネット(１)の緩衝部材(４)のキャビネット表面からの突出高さが操作キー(11)のキャビネット表面からの突出高さよりも僅かに高く形成されているので、操作キー(11)の表面がディスプレイ(21)の表面に接触することはない。
【００２６】
然も、緩衝部材(４)は、操作側キャビネット(１)の長手方向に沿ってヒンジ機構(３)の近傍位置から操作側キャビネット(１)のヒンジ機構(３)とは反対側の端部まで伸びて、操作側キャビネット(１)の表面に露出しているので、両キャビネット(１)(２)を折り畳んだ状態で携帯電話機を誤って落下させたとき等、外部から大きな衝撃力が作用したとしても、操作側キャビネット(１)の表面と表示側キャビネット(２)の表面と間には、緩衝部材(４)が介在して、両キャビネットの撓みを阻止するので、操作キー(11)の表面がディスプレイ(21)の表面に接触することはない。
従って、本発明に係る折り畳み式電話機によれば、ディスプレイ(21)の表面に傷が付く虞は殆どない。
【００２７】
又、上記折り畳み式携帯電話機においては、図２の如く操作側キャビネット(１)と表示側キャビネット(２)を折り畳んだ状態で、両キャビネット(１)(２)の両側面から表示側キャビネット(２)の表面にかけて、緩衝部材(４)(５)がキャビネット面よりも突出して配備されているので、携帯電話機を誤って床面に落下させたとしても、これらの緩衝部材(４)(５)の緩衝作用によって衝撃力が緩和され、回路部品等の故障が防止される。
【図面の簡単な説明】
【００２８】
【図１】本発明に係る折り畳み式携帯電話機の開き状態を示す斜視図である。
【図２】該折り畳み式携帯電話機の閉じ状態を示す斜視図である。
【図３】該折り畳み式携帯電話機の閉じ状態を示す側面図である。
【図４】同上の閉じ状態の要部を示す拡大側面図である
【図５】同上の閉じ状態を示す平面図である。
【図６】図５のＸ−Ｘ線に沿う断面図(ａ)及びその要部を拡大して示す断面図(ｂ)である。
【図７】図５のＹ−Ｙ線に沿う断面図(ａ)及びその要部を拡大して示す断面図(ｂ)である。
【図８】従来の携帯電話機の開き状態を示す斜視図である。
【符号の説明】
【００２９】
(１)  操作側キャビネット
(11)  操作キー
(２)  表示側キャビネット
(21)  ディスプレイ
(22)  弾性凸部
(３)  ヒンジ機構
(４)  緩衝部材
(５)  緩衝部材
【図１】
2005295070.tif 000003
【図２】
2005295070.tif 000004
【図３】
2005295070.tif 000005
【図４】
2005295070.tif 000006
【図５】
2005295070.tif 000007
【図６】
2005295070.tif 000008
【図７】
2005295070.tif 000009
【図８】
2005295070.tif 000010